(57)【要約】【課題】残水を迅速に排出することができ、かつ、デザイン自由度が高いシャワー装置を提供することを目的とする。【解決手段】給水された水をシャワー吐水するシャワー装置であって、使用者が把持する把持部を有するシャワー本体と、水を吐水するための複数の散水孔を有する散水部と、散水孔の上流側で給水された水を貯留する貯留空間と、貯留空間に前記給水源から供給された水を流入させる水流入部と、を備え、水流入部は、前記貯留空間と連通する流入口を有し、流入口の全体は、把持部を下方側に位置させた状態において、貯留空間における上方側領域に配置されることを特徴とするシャワー装置が提供される。【選択図】図４
2020048635.tif 000002
【特許請求の範囲】
【請求項１】
給水された水をシャワー吐水するシャワー装置であって、
使用者が把持する把持部を有するシャワー本体と、
水を吐水するための複数の散水孔を有する散水部と、
前記散水孔の上流側で給水された水を貯留する貯留空間と、
前記貯留空間に前記給水源から供給された水を流入させる水流入部と、
を備え、
前記水流入部は、前記貯留空間と連通する流入口を有し、
前記流入口の全体は、前記把持部を下方側に位置させた状態において、前記貯留空間における上方側領域に配置されることを特徴とするシャワー装置。
【請求項２】
前記流入口の全体は、前記貯留空間の外周端よりも内周側に配置されることを特徴とする請求項１記載のシャワー装置。
【請求項３】
前記散水部は、第１の吐水形態と、前記第１の吐水形態と異なる第２の吐水形態で吐水可能であり、
前記貯留空間は、前記第１の吐水形態に対応する第１の貯留空間と、前記第２の吐水形態に対応する第２の貯留空間と、を有し、
前記水流入部の流入口は、前記第１の貯留空間に水を流入させる第１の流入口と、前記第２の貯留空間に水を流入させる第２の流入口と、を有し、
前記第１の流入口の全体は、前記把持部を下方側に位置させた状態において、前記第１の貯留空間における上方側領域に配置され、前記第２の流入口の全体は、前記把持部を下方側に位置させた状態において、前記第２の貯留空間における上方側領域に配置されることを特徴とする請求項１又は２のいずれか記載のシャワー装置。
【発明の詳細な説明】
【技術分野】
【０００１】
本発明は、シャワー装置に係り、特に、給水された水をシャワー吐水するシャワー装置に関する。
【背景技術】
【０００２】
従来、給水された水をシャワー吐水するシャワー装置として、特許文献１のように、散水孔の上流側で給水された水を貯留する貯留空間と、貯留空間と連通する流入口が設けられ、その流入口から貯留空間に給水源からの水を流入させる水流入部と、を有するものが知られている。
このようなシャワー装置の場合、貯留空間と連通する流入口の位置が把持部を下方側に位置させた状態において、貯留空間における下方側領域にあるため、貯留空間の水が大気と置換されにくく、止水後に貯留空間に残った残水が長時間に亘って散水孔からポタポタと排出されやすいという問題があった。
この問題の解決するために、例えば、特許文献２に記載されているように、シャワー本体の水流入部と散水部との間に設けられた大気開放弁を止水時に開弁し、貯留空間内を大気開放することにより、残水を散水孔から迅速に排出することができるものが知られている。
【先行技術文献】
【特許文献】
【０００３】
【特許文献１】特開２０１５−４７４３８号公報
【特許文献２】特開２０１３−１８３７８９号公報
【発明の概要】
【発明が解決しようとする課題】
【０００４】
しかしながら、特許文献２記載の方法で残水を排出する場合、シャワー本体に残水を排出する機構を別途設ける必要があるため、シャワー装置を薄型化することが難しくデザイン自由度が低下するという問題もあった。
【０００５】
本発明は、かかる課題の認識に基づいてなされたものであり、残水を迅速に排出することができ、かつ、デザイン自由度が高いシャワー装置を提供することを目的とする。
【課題を解決するための手段】
【０００６】
第１の発明は、給水された水をシャワー吐水するシャワー装置であって、使用者が把持する把持部を有するシャワー本体と、水を吐水するための複数の散水孔を有する散水部と、散水孔の上流側で給水された水を貯留する貯留空間と、前記貯留空間に前記給水源から供給された水を流入させる水流入部と、を備え、前記水流入部は、前記貯留空間と連通する流入口を有し、前記流入口の全体は、前記把持部を下方側に位置させた状態において、前記貯留空間における上方側領域に配置されることを特徴とするシャワー装置である。
【０００７】
このシャワー装置によれば、シャワー装置が所定の取付位置に取り付けられた状態において、水流入部の流入口の位置が従来のシャワー装置よりも高くなる。
これにより、流入口におけるヘッド圧による押し出し力が高くなり、かつ、貯留空間に溜まった水から水流入部の流路内に溜まった水にかかる引き込み力も高くなるため、止水後において、流入口から貯留空間へ流入する水の勢いが強くなり、貯留空間の水と空気との置換が促進される。
また、従来よりも早いタイミングで水流入部の流路内の水が貯留空間に流入するため、従来よりも多くの散水孔から流路内に溜まった水を排出でき、残水の排出を迅速に行うことができる。
したがって、残水を迅速に排出することができ、かつ、デザイン自由度が高いシャワー装置を実現できる。
【０００８】
第２の発明は、第１の発明において、前記流入口の全体は、前記貯留空間の外周端よりも内周側に配置されることを特徴とするシャワー装置である。
【０００９】
流入口を貯留空間の上方側領域に配置すると、吐水時において、水流入部の流路における圧損が大きくなり、散水孔からの吐水の勢いが弱くなる恐れがある。特に、上方側領域の最端部である外周端に流入口を配置すると、流入口から貯留空間へ流入する水が極端に偏り、散水孔からの吐水の勢いが顕著に弱くなるという問題があった。
このシャワー装置によれば、吐水時において水流入部の流路における圧損を少なくすることができ、かつ、流入口から貯留空間へ水が拡散するように流入させることができる。  そのため、吐水の勢い低下を抑制しつつ、残水を迅速に排出することができる。
【００１０】
第３の発明は、第１または第２の発明において、前記散水部は、第１の吐水形態と、前記第１の吐水形態と異なる第２の吐水形態で吐水可能であり、前記貯留空間は、前記第１の吐水形態に対応する第１の貯留空間と、前記第２の吐水形態に対応する第２の貯留空間と、を有し、前記水流入部の流入口は、前記第１の貯留空間に水を流入させる第１の流入口と、前記第２の貯留空間に水を流入させる第２の流入口と、を有し、前記第１の流入口の全体は、前記把持部を下方側に位置させた状態において、前記第１の貯留空間における上方側領域に配置され、前記第２の流入口の全体は、前記把持部を下方側に位置させた状態において、前記第２の貯留空間における上方側領域に配置されることを特徴とする請求項１又は２のいずれか記載のシャワー装置である。
【００１１】
このシャワー装置によれば、複数の吐水形態を有するシャワー装置において、残水を迅速に排出することができ、かつ、デザイン自由度が高いシャワー装置を実現できる。
【発明の効果】
【００１２】
本発明の態様によれば、残水を迅速に排出することができ、かつ、デザイン自由度が高いシャワー装置が提供される。
【図面の簡単な説明】
【００１３】
【図１】本発明の実施形態に係るシャワー装置の外観斜視図である。
【図２】本発明の実施形態に係るシャワー装置の分解斜視図である。
【図３】本発明の実施形態に係るミックス吐水モードにおける吐水状態を示した模式図である。
【図４】本発明の実施形態に係るシャワー装置の断面図である。
【発明を実施するための形態】
【００１４】
以下、添付図面を参照しながら本発明の実施の形態について説明を行う。
図１は本発明の実施形態におけるシャワー装置１の外観斜視図である。図２は、本発明の実施形態に係るシャワー装置１の分解斜視図である。
図１、２に示すように、シャワー装置１は、いわゆるハンドシャワーであって、シャワー本体１０と、シャワー本体１０の先端部に取り付けられた散水部２０と、を有する。
また、後述するように、シャワー装置１は、散水部２０より上流側において、シャワー本体１０に散水部２０が取り付けられた状態で形成される貯留空間３０（図４参照）と、貯留空間３０（図４参照）と、貯留空間３０に、給水源からの水を流入させる水流入部４０（図４参照）と、を有する。
シャワー装置１は、シャワーホース（図示せず）を介して湯水混合水栓装置等の給水源（図示せず）に接続され、水を散水部２０から吐水させることができる。
【００１５】
なお、本発明の実施形態において、「水」という言葉は、給水水栓装置の水道側のみを吐水状態として供給される水のみならず、給水水栓装置に接続された給湯装置（図示せず）等から供給される湯を水に混合した湯水混合水をも含む意味で定義されている。
【００１６】
シャワー本体１０は、使用時に所定の取付位置から取り外し可能であり、かつ、取り外した状態で使用者が把持可能な把持部１２と、この把持部１２の先端側に設けられ、把持部１２よりも太くなった散水部取付部１４と、を有する。また、散水部取付部１４には、散水部２０が取り付けられる円形の開口部１４ａが形成されている。また、シャワー本体１０の基端側には、シャワーホース（図示せず）が接続される。
【００１７】
散水部２０は、シャワー本体１０の外観の一部を構成する散水カバー２２と、散水カバー２２よりも上流側に配置され、開口部１４ａと散水カバー２２との間に挟持される形で固定される散水プレート２４と、を有する。
【００１８】
散水カバー２２は、開口部１４ａと略同一の円形形状の部材であり、後述する複数の散水ノズル２４ｂ及び振動発生素子２４ｃを表面側（下流側）に夫々突出させる複数の孔２２ａを有する。
【００１９】
散水プレート２４は、例えば、シリコンゴム等の軟質材料により形成され、ほぼ円形の板状のベースプレート２４ａと、切頭円錐形状に形成された複数の散水ノズル２４ｂと、カルマン渦を生成する渦発生通路を有し、往復振動される水を吐水する振動発生素子２４ｃと、を有する。
散水ノズル２４ｂと振動発生素子２４ｃとは、ベースプレート２４ａと一体的に形成されている。
なお、散水ノズル２４ｂと振動発生素子２４ｃとのいずれか一方を有し、一つの吐水形態のみで吐水を行うようにしてもよい。
なお、散水プレート２４を設けず、散水カバー２２自体が散水孔を有するようにしてもよい。
【００２０】
散水ノズル２４ｂは、複数列の周状に並んで配置されており、散水ノズル２４ｂが配置されているよりもベースプレート２４ａの内周側に、４つの振動発生素子２４ｃが１列の周状に並んで配置されている。この際、散水ノズル２４ｂは、振動発生素子２４ｃよりも数が多く密に形成されている。
このような構成にすることによって、後述する異なる複数の吐水形態で同時吐水を行うミックス吐水モードにおいて効率的な洗浄を可能とする。
なお、本実施形態において、散水ノズル２４ｂと、振動発生素子２４ｃが、複数の散水孔である。
【００２１】
次に、シャワー装置の吐水状態について説明を行う。図３は、本発明の実施形態に係るミックス吐水モードにおける吐水状態を示した模式図である。
図３に示すように、シャワー装置１は、散水ノズル２４ｂと振動発生素子２４ｃとの両方から同時に吐水を行うミックス吐水モードにて吐水を行うことができる。
【００２２】
ミックス吐水モードにおいて、散水ノズル２４ｂからの吐水（第１の吐水形態）は、その吐水流線が直線的であり、各散水ノズル２４ｂから吐出された水滴が同一箇所の着水地点Ｐに連続的に着水するようになっている。
着水した水滴は、着水地点Ｐを中心に外周方向に広がるように水膜状に変形し、隣接する水膜同士で干渉する。そのため、着水地点Ｐに相対的に厚い水膜が形成され、水膜の滞留が発生する。
【００２３】
一方、振動発生素子２４ｃからの吐水（第２の吐水形態）は、その吐水流線が往復振動しており、振動発生素子２４ｃから吐出された水滴の着水地点Ｐが分散するようになっている。
着水した水滴は、水膜が薄く形成され、且つ、周方向外側に押し流されるようになっている。これにより、着水面に存在する汚れや洗剤を、より速く洗浄することが可能となる。
【００２４】
ここで、振動発生素子２４ｃからの吐水のみの場合、形成された水膜が薄いため、着水時の水ハネが多く、散水部２０外周において汚れや洗剤を運搬する力が小さいため、これらが置き去りにされ、床面などの平たい場所では十分な洗浄を行うことができない。
ミックス吐水モードにおいては、振動発生素子２と吐水ノズル１６との両方から同時に吐水を行うことにより、振動発生素子２４ｃから吐出された水滴によって、散水部２４の中央の汚れや洗剤を素早く押し流し、外周に形成される相対的に厚い水膜に汚れや洗剤を受け渡すことで、より確実に洗浄することができる。
なお、本実施形態において、ミックス吐水モードについて説明をしたが、散水ノズル２４ｂと振動発生素子２４ｃの一方からのみ吐水を行うことができるようにしてもよい。
【００２５】
次に、シャワー装置１の内部流路について、図４を用いて説明を行う。図４は、本発明の実施形態に係るシャワー装置の断面図である。
図４に示すように、貯留空間３０は、シャワー本体１０に散水部２０を取り付けた状態において、シャワーヘッド本体１０の開口部１４ａと散水部２０の散水プレート２４との間に形成される。
また、シャワー本体１０内には、水流入部４０が形成されており、貯留空間３０に水流入部４０からの水が流入した後に、散水ノズル２４ｂ及び振動発生素子２４ｃに水が流入する。
【００２６】
貯留空間３０は、散水ノズル２４ｂと連通する第１の貯留空間３０ａと、振動発生素子２４ｃと連通する第２の貯留空間３０ｂを有する。
第１の貯留空間３０ａには、散水ノズル２４ｂ（第１の吐水形態）からの吐水が行われる際に、水流入部４０から水が流入し、第２の貯留空間３０ｂには、振動発生素子２４ｃ（第２の吐水形態）からの吐水が行われる際に、水流入部４０から水が流入する。
なお、図４においては、点線で示した内側の部分が第２の貯留空間３０ｂであり、その外側の部分が第１の貯留空間３０ａである。
【００２７】
水流入部４０は、シャワーヘッド本体２の把持部１２から散水部取付部１４の内部にかけて形成された流路４２を有し、この流路４２の一端には、貯留空間３０と連通する連通する流入口４４が形成されている。
具体的には、流入口４４は、第１の貯留空間３０ａに水を流入させる第１の流入口４４ａと、第２の貯留空間３０ｂに水を流入させる第２の流入口４４ｂと、を有する。
この第１の流入口４４ａ、第２の流入口４４ｂまでの流路４２はシャワーヘッド本体２内で分岐されている。
なお、水流入部４０は、シャワーヘッド本体１０と、別部材にて形成されていてもよい。
【００２８】
流入口４４の全体は、貯留空間３０における上方側領域に配置されている。
具体的には、第１の流入口４４ａ及び第２の流入口４４ｂの全体が、それぞれの貯留空間３０である第１の貯留空間３０ａ及び第２の貯留空間３０ｂにおける上方側領域に配置されている。これにより、残水を迅速に排出することができ、かつ、デザイン自由度が高いシャワー装置１を実現できる。詳細については後述する。
【００２９】
ここで、貯留空間３０における上方側領域とは、把持部１２を下方側に位置させた状態において、貯留空間３０の中心Ｃよりも上方側の領域のことである。また、把持部１２を下方側に位置させた状態において、貯留空間３０の中心Ｃよりも下方側の領域を下方側領域と呼ぶ。
なお、本発明の実施形態において、第１の貯留空間３０ａ及び第２の貯留空間３０ｂの中心Ｃは同一であるため、第１の貯留空間３０ａ及び第２の貯留空間３０ｂのそれぞれにおける上方側領域と下方側領域との境界が重なっている。
【００３０】
また、より具体的には、第１の流入口４４ａ及び第２の流入口４４ｂの全体は、第１の貯留空間３０ａ及び第２の貯留空間３０ｂの外周端３０ｃ、３０ｄよりも内周側に配置されている。
【００３１】
次に、本実施形態における作用を説明する。
本発明の実施形態においては、流入口４４の全体が、把持部１２を下方側に位置させた状態において、貯留空間３０における上方側領域に配置されることにより、シャワー装置１が所定の取付位置に取り付けられた状態において、水流入部４０の流入口３２の位置が従来のシャワー装置よりも高くなる。
【００３２】
これにより、流入口４４におけるヘッド圧による押し出し力が高くなり、かつ、貯留空間３０に溜まった水から水流入部４０の流路４２内に溜まった水にかかる引き込み力も高くなるため、止水後において、水流入部４０の流入口４４から貯留空間３０へ流入する水の勢いが強くなり、貯留空間３０の水と空気との置換が促進される。
また、止水後において、従来よりも早いタイミングで水流入部４０の流路４２内の水が貯留空間３０に流入するため、従来よりも多くの散水ノズル２４ｂ及び振動発生素子２４ｃ（散水孔）から流入路４２内に溜まった水を排出でき、残水の排出を迅速に行うことができる。
したがって、残水を迅速に排出することができ、かつ、デザイン自由度が高いシャワー装置１を実現できる。
【００３３】
また、本発明の実施形態においては、流入口４４の全体は、貯留空間３０の外周端よりも内周側に配置されている。具体的には、第１の流入口４４ａ及び第２の流入口４４ｂの全体は、第１の貯留空間３０ａ及び第２の貯留空間３０ｂの外周端３０ｃ、３０ｄよりも内周側に配置されている。
【００３４】
流入口４４を貯留空間３０の上方側領域に配置すると、吐水時において、水流入部４０の流路４２における圧損が大きくなり、散水ノズル２４ｂ及び振動発生素子２４ｃ（散水孔）からの吐水の勢いが弱くなる恐れがある。特に、上方側領域の最端部である外周端３０ｃ、３０ｄに流入口４４を配置すると、流入口３２から貯留空間３０へ流入する水が極端に偏り、散水ノズル２４ｂ及び振動発生素子２４ｃ（散水孔）からの吐水の勢いが顕著に弱くなるという問題があった。
上記問題に対して、このシャワー装置１によれば、吐水時において水流入部４０の流路４２における圧損を少なくすることができ、かつ、流入口４４から貯留空間３０へ水が拡散するように流入させることができる。そのため、吐水の勢い低下を抑制しつつ、残水を迅速に排出することができる。
【００３５】
また、本発明の実施形態においては、第１の流入口４４ａの全体は、把持部１２を下方側に位置させた状態において、第１の貯留空間３０ａにおける上方側領域に配置され、前記第２の流入口４４ｂの全体は、把持部１２を下方側に位置させた状態において、第２の貯留空間３０ｂにおける上方側領域に配置されている。
【００３６】
これにより、複数の吐水形態を有するシャワー装置１において、残水を迅速に排出することができ、かつ、デザイン自由度が高いシャワー装置１を実現できる。
【００３７】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、シャワー装置が備える各要素の形状、寸法、材質、配置などは、例示したものに限定されるわけではなく適宜変更することができる。
また、前述した実施形態が備える各要素は、技術的に可能な限りにおいて組み合わせることができ、これらを組み合わせたものも本発明の特徴を含む限り本発明の範囲に包含される。
【符号の説明】
【００３８】
シャワー装置      １
シャワー本体      １０
把持部            １２
散水部取付部      １４
開口部            １４ａ
散水部            ２０
散水カバー        ２２
孔                ２２ａ
散水プレート      ２４
ベースプレート    ２４ａ
散水ノズル        ２４ｂ
振動発生素子      ２４ｃ
貯留空間          ３０
第１の貯留空間    ３０ａ
第２の貯留空間    ３０ｂ
外周端            ３０ｃ、３０ｄ
水流入部          ４０
流路              ４２
流入口            ４４
第１の流入口      ４４ａ
第２の流入口      ４４ｂ
【図１】
2020048635.tif 000003
【図２】
2020048635.tif 000004
【図３】
2020048635.tif 000005
【図４】
2020048635.tif 000006